(57)【要約】【課題】  目が悪い人でも表示が見やすいリモコン装置を提供する。【解決手段】    表示部１８と、前記複数種類の情報、表示の優先順位を記憶する記憶手段１６と、前記表示部と使用者との間の距離を検出する人体検出手段１７と、制御部２２とを備え、前記制御部２２は前記距離が小さくなるほど優先順位の低い順から情報の表示を省略する情報を増加させて、優先順位の高い情報の表示サイズをより拡大して表示するので、近視で少し目が悪くて少しリモコン装置に近づいた時は、標準サイズよりも大きい中サイズの文字で表示して見やすくすることができ、又、近視でかなり目が悪くてリモコン装置のすぐ近くまで近づいた時は、中サイズよりも更に大きい大サイズの文字で表示して見やすくすることができるものである。【選択図】  図２
2014137143.tif 000002
【特許請求の範囲】
【請求項１】
複数種類の情報を同時に表示できる表示部と、前記複数種類の情報、表示の優先順位を記憶する記憶手段と、前記表示部と使用者との間の距離を検出する人体検出手段と、前記距離が大きい場合には、複数種類の情報を同時に表示できる大きさで前記表示部に表示し、前記距離が小さい場合には、少なくとも記憶手段で優先順位の低い一つの情報の表示を省略することにより、他の少なくとも記憶手段で優先順位の高い一つの情報の表示サイズを拡大させて前記表示部に表示するように制御する制御部とを備えたリモコン装置に於いて、前記制御部は前記距離が小さくなるほど優先順位の低い順から情報の表示を省略する情報を増加させて、優先順位の高い情報の表示サイズをより拡大して表示することを特徴とするリモコン装置。
【請求項２】
前記制御部は、距離が小さくなってある距離で一定となった時は、その時に表示した表示サイズのままで表示を継続し、距離が小さくなった後に距離が大きくなっていったら、距離が大きい場合の複数種類の情報を同時に表示できる大きさで複数種類の情報を表示部に表示させることを特徴とする請求項１記載のリモコン装置。
【請求項３】
前記リモコン装置は各種設定を行うスイッチ部を備え、該スイッチ部が操作された時、前記制御部は距離が大きい場合の複数種類の情報を同時に表示できる大きさで複数種類の情報を表示部に表示させることを特徴とする請求項２記載のリモコン装置。
【発明の詳細な説明】
【技術分野】
【０００１】
この発明は、浴室に設置するリモコン装置に関するものである。
【背景技術】
【０００２】
従来、この種のものにおいては、表示部と使用者との間の距離を検出する人体検出手段を備え、表示部と使用者との間の距離が近い場合には、複数種類の情報を同時に表示し、表示部と使用者との間の距離が遠い場合には、少なくとも一つの情報の表示サイズを通常画面より拡大させて表示するものがあった。（例えば、特許文献１）
【先行技術文献】
【特許文献】
【０００３】
【特許文献１】特開２０１１−１４５０２４号公報
【発明の概要】
【発明が解決しようとする課題】
【０００４】
ところでこの従来のものでは、使用者とリモコン装置との距離が大きい場合には、優先順位の高い情報の表示サイズを大きくし、それにより使用者がリモコン装置から離れた位置にいるときであっても、使用者はリモコン装置の表示部に表示された重要な情報を確実に読み取ることができるものであるが、近視の人が眼鏡やコンタクトレンズを外して入浴した場合、リモコン装置の表示がよく見えずにリモコン装置に近づいても表示サイズは変わらないので、近視の人には見えづらいものであった。
【課題を解決するための手段】
【０００５】
上記課題を解決するために、本発明の請求項１では、複数種類の情報を同時に表示できる表示部と、前記複数種類の情報、表示の優先順位を記憶する記憶手段と、前記表示部と使用者との間の距離を検出する人体検出手段と、前記距離が大きい場合には、複数種類の情報を同時に表示できる大きさで前記表示部に表示し、前記距離が小さい場合には、少なくとも記憶手段で優先順位の低い一つの情報の表示を省略することにより、他の少なくとも記憶手段で優先順位の高い一つの情報の表示サイズを拡大させて前記表示部に表示するように制御する制御部とを備えたリモコン装置に於いて、前記制御部は前記距離が小さくなるほど優先順位の低い順から情報の表示を省略する情報を増加させて、優先順位の高い情報の表示サイズをより拡大して表示するものである。
【０００６】
また、請求項２では、前記制御部は、距離が小さくなってある距離で一定となった時は、その時に表示した表示サイズのままで表示を継続し、距離が小さくなった後に距離が大きくなっていったら、距離が大きい場合の複数種類の情報を同時に表示できる大きさで複数種類の情報を表示部に表示させるものである。
【０００７】
また、請求項３では、前記リモコン装置は各種設定を行うスイッチ部を備え、該スイッチ部が操作された時、前記制御部は距離が大きい場合の複数種類の情報を同時に表示できる大きさで複数種類の情報を表示部に表示させるものである。
【発明の効果】
【０００８】
この発明の請求項１によれば、複数種類の情報を同時に表示できる表示部と、前記複数種類の情報、表示の優先順位を記憶する記憶手段と、前記表示部と使用者との間の距離を検出する人体検出手段と、前記距離が大きい場合には、複数種類の情報を同時に表示できる大きさで前記表示部に表示し、前記距離が小さい場合には、少なくとも記憶手段で優先順位の低い一つの情報の表示を省略することにより、他の少なくとも記憶手段で優先順位の高い一つの情報の表示サイズを拡大させて前記表示部に表示するように制御する制御部とを備えたリモコン装置に於いて、前記制御部は前記距離が小さくなるほど優先順位の低い順から情報の表示を省略する情報を増加させて、優先順位の高い情報の表示サイズをより拡大して表示するので、近視で少し目が悪くて表示部に表示される情報が見えずに少しリモコン装置に近づいた時は、標準サイズよりも大きい中サイズの文字で表示して見やすくすることができ、又、近視でかなり目が悪くて表示部１８に表示される情報が見えずにリモコン装置のすぐ近くまで近づいた時は、中サイズよりも更に大きい大サイズの文字で表示して見やすくすることができるので、目の悪い人が眼鏡やコンタクトレンズを外していてもリモコン装置の表示部の情報が見えることができるものである。
【０００９】
また、請求項２によれば、前記制御部は、距離が小さくなってある距離で一定となった時は、その時に表示した表示サイズのままで表示を継続し、距離が小さくなった後に距離が大きくなっていったら、距離が大きい場合の複数種類の情報を同時に表示できる大きさで複数種類の情報を表示部に表示させるので、使用者が表示部の表示が見える大きさに表示サイズを維持することで見やすくすることができ、又、距離が小さくなった後に距離が大きくなっていったことで使用者が表示部を見るのを終了したと判断して、通常の表示内容に戻って複数種類の情報を表示するので、見たい情報が表示されずにすぐ見られないということを防止できるものである。
【００１０】
また、請求項３によれば、前記リモコン装置は各種設定を行うスイッチ部を備え、該スイッチ部が操作された時、前記制御部は距離が大きい場合の複数種類の情報を同時に表示できる大きさで複数種類の情報を表示部に表示させるので、スイッチ部の操作を終了した時点で通常の表示部に表示される情報を見られるので、見たい情報が表示されずにすぐ見られないということを防止できるものである。
【図面の簡単な説明】
【００１１】
【図１】この発明の一実施形態のリモコン装置を適用した給湯システムを示すブロック図。
【図２】同表示部の表示制御のフローチャート図。
【図３】同表示部に表示する文字サイズを変更する様子を示す図。
【発明を実施するための形態】
【００１２】
次にこの発明に係るリモコン装置を図面に示す一実施例で説明する。
図１は本件リモコン装置を適用した給湯システムを示すブロック図で、給湯機本体１と、それに接続されたメインリモコン２および浴室リモコン３とを有しているものである。
前記メインリモコン２は、通常、台所等の壁面に設置され、運転の開始／停止等、給湯機能全般の動作に関する指示を使用者が入力可能であるように構成されている。
又、浴室リモコン３は、入浴者が浴槽に入った時の目の高さに合わせて、浴槽縁から浴室リモコン３の天面までの高さが４００ｍｍ以下となるように浴室の浴槽の長手方向の壁面に設置され、給湯温度やふろ給湯機能等の設定に関する指示を使用者が入力可能であるように構成されている。
【００１３】
前記給湯機本体１は、電源部４と、メインリモコン２および浴室リモコン３との通信信号の変換を行う通信回路５と、通信信号の解析や送受信、給湯機能の制御を行う制御部６とを備えている。
更に、給湯機本体１は、湯を沸かすための加熱手段（図示せず）、湯を蓄える貯湯タンク（図示せず）、各部の湯水の流れを制御するための弁類（図示せず）、浴槽の水位を検知する水位センサ等各種センサ類（図示せず）などを備えている。
【００１４】
前記メインリモコン２は、電源部７と、給湯機本体１および浴室リモコン３との通信信号の変換を行う通信回路８と、各種情報を表示する表示部９と、音声や報知音の音量を調整する音量調整部１０と、音声や報知音を鳴動させる鳴動部１１と、給湯温度等の給湯機能の切り替え設定するスイッチ部１２と、該スイッチ部１２や通信回路８との信号を処理し、表示部９や音量調整部１０の制御を行うメインリモコン制御部１３とを備えている。
【００１５】
前記浴室リモコン３は、電源部１４と、給湯機本体１およびメインリモコン２との通信信号の変換を行う通信回路１５と、各種情報の優先順位のデータを保持する記憶装置１６と、浴室リモコン３の周辺に居る入浴者の位置（距離）を計測する人体検出部１７と、各種情報を表示する表示部１８と、音声や報知音の音量を調整する音量調整部１９と、音声や報知音を鳴動させる鳴動部２０と、給湯温度等の給湯機能の切り替え設定するスイッチ部２１と、スイッチ部２１や通信回路１５との信号を処理し、表示部１８や音量調整部１９の制御を行う浴室リモコン制御部２２とを備えている。
【００１６】
前記浴室リモコン３の正面には、表示部１８、人体検出部１７、鳴動部２０およびスイッチ部２１が配置されており、表示部１８は、ドットマトリクス方式の表示装置であり、例えば液晶表示装置、有機ＥＬ表示装置等で構成されるものである。
【００１７】
又、前記メインリモコン２の表示部９と浴室リモコン３の表示部１８には、各種情報として文字情報２３、給湯温度２４、操作優先権２５、残湯量２６、現在時刻２７等の情報が表示されるものである。
【００１８】
又、前記浴室リモコン３の人体検出部１７は、浴室内にいる入浴者と、浴室リモコン３（表示部１８）との間の距離Ｌを計測するもので、入浴者との距離Ｌを連続的または断続的に繰り返して測定するものである。
この人体検出部１７は、例えば赤外線測距センサで構成したり、あるいは、浴室内の入浴者の像を撮像するカメラを設置し、画像処理によって特定される人物像の大きさ、位置等に基づいて入浴者との距離を推定するようにしてもよいものである。
【００１９】
次にこの浴室リモコン３の表示制御ついて図２のフローチャート図により説明する。
まず浴槽にお湯がある状態で入浴者が浴槽に入ると、浴槽内の水位が上昇したことを水位センサ（図示せず）が検知し、それにより給湯機本体１の制御部６は浴槽に入浴者がいると判断し（Ｓ１）、浴槽に入浴者がいると浴室リモコン制御部２２に通信信号を送信する。
【００２０】
浴槽に入浴者がいるとの通信信号を受信した浴室リモコン制御部２２は、表示部１８に図３（ａ）のように各種情報を標準サイズで表示し（Ｓ２）、そして次に浴室リモコン制御部２２は、浴槽に入浴した入浴者が浴室リモコン３に近づいてくるか否かを人体検出部１７で入浴者との距離Ｌを連続的に繰り返して測定することで判断する。（Ｓ３）
【００２１】
そして浴室リモコン制御部２２は人体検出部１７での測定の結果、入浴者が浴室リモコン３に近づいてこないと判断したら（Ｓ１）に戻り、入浴者が浴室リモコン３に近づいてくると判断したら、浴室リモコン制御部２２は表示部１８に図３（ｂ）のように各種情報を標準サイズから中サイズに拡大して表示する。（Ｓ４）
【００２２】
この時浴室リモコン制御部２２は、表示部１８に表示する情報を記憶装置１６に保持された優先順位のデータに基づいて、最も優先順位の高い情報から一度に表示部１８に表示できる情報の数だけ選択して表示部１８に所定時間表示させ、所定時間経過したら最初に表示できなかった情報の中で、優先順位の高い情報から一度に表示部１８に表示できる情報の数だけ選択して表示部１８に所定時間表示するのを全情報を表示するまで繰り返し、全情報を表示したら又最も優先順位の高い情報から表示することを繰り返すものである。
【００２３】
尚、記憶装置１６に保持された優先順位のデータは、最も優先順位の高い情報として文字情報２３が保持され、それ以後給湯温度２４、操作優先権２５、残湯量２６、現在時刻２７の順で優先順位が保持されているものである。
【００２４】
そして次に浴室リモコン制御部２２は、入浴者が浴室リモコン３のスイッチ部２１が操作されたかを判定し（Ｓ５）、スイッチ部２１が操作されると表示部１８に操作した情報を表示する。（Ｓ６）
【００２５】
そして浴室リモコン制御部２２は、スイッチ部２１の操作が終了されたと判定すると（Ｓ７）、入浴者が浴室リモコン３に近づいてきたのはスイッチ部２１を操作するためだったと判断し、表示部１８の表示を元の標準サイズに戻して（Ｓ８）、（Ｓ１）に戻るものである。
【００２６】
又、（Ｓ５）で、入浴者が浴室リモコン３のスイッチ部２１を操作しないと判定したら、浴室リモコン制御部２２は更に浴槽に入浴した入浴者が浴室リモコン３に近づいてくるか否かを人体検出部１７で入浴者との距離Ｌを連続的に繰り返して測定することで判断する。（Ｓ９）
【００２７】
そして浴室リモコン制御部２２は人体検出部１７での測定の結果、入浴者が浴室リモコン３に近づいてこないと判断したら、次に入浴者が浴室リモコン３から遠ざかっていくか否かを人体検出部１７で入浴者との距離Ｌを連続的に繰り返して測定することで判断する。（Ｓ１０）
【００２８】
（Ｓ１０）で入浴者が浴室リモコン３から遠ざかっていくと判断したら、浴室リモコン制御部２２は入浴者が表示部１８を見るのを終了したと判断して（Ｓ８）に進んで、表示部１８の表示を元の標準サイズに戻し、入浴者が浴室リモコン３から遠ざかっていかないと判断したら、浴室リモコン制御部２２は入浴者が表示部１８を今の位置で見続けていると判断して（Ｓ４）に戻るものである。
【００２９】
又、（Ｓ９）で入浴者が更に浴室リモコン３に近づいてくると判断したら、浴室リモコン制御部２２は、入浴者が表示部１８の表示がよく見えないために更に近づいてくると判断し、表示部１８に図３（ｃ）のように各種情報を中サイズから大サイズに拡大して表示する。（Ｓ１１）
【００３０】
この時浴室リモコン制御部２２は、表示部１８に表示する情報を記憶装置１６に保持された優先順位のデータに基づいて、最も優先順位の高い情報から一度に１つだけ選択して表示部１８に所定時間表示させ、所定時間経過したら次の二番目に優先順位の高い情報を１つだけ選択して表示部１８に所定時間表示するのを全情報を表示するまで繰り返し、全情報を表示したら又最も優先順位の高い情報から表示することを繰り返すものである。
【００３１】
そして次に浴室リモコン制御部２２は、入浴者が浴室リモコン３のスイッチ部２１が操作されたかを判定し（Ｓ１２）、スイッチ部２１が操作されると（Ｓ６）に進んで表示部１８に操作した情報を表示する。
【００３２】
又、（Ｓ１２）で入浴者が浴室リモコン３のスイッチ部２１を操作しないと判断したら、浴室リモコン制御部２２は次に入浴者が浴室リモコン３から遠ざかっていくか否かを人体検出部１７で入浴者との距離Ｌを連続的に繰り返して測定することで判断する。（Ｓ１３）
【００３３】
（Ｓ１３）で入浴者が浴室リモコン３から遠ざかっていくと判断したら、浴室リモコン制御部２２は入浴者が表示部１８を見るのを終了したと判断して（Ｓ８）に進んで、表示部１８の表示を元の標準サイズに戻し、入浴者が浴室リモコン３から遠ざかっていかないと判断したら、浴室リモコン制御部２２は入浴者が表示部１８を今の位置で見続けていると判断して（Ｓ１１）に戻るものである。
【００３４】
尚、本実施例では水位センサが浴槽内の水位が上昇したことを検知して浴槽に入浴者がいると判断するがこれに限定されず、人体検出部１７で断続的に浴槽に入浴者がいるかを測定して判断するようにしてもよいものである。
【００３５】
又、本実施例では人体検出部１７は浴槽内にいる入浴者の距離を測定するがこれに限定されず、人体検出部１７の測定範囲が浴室全体であれば、浴室内で入浴者が近づいてくるのか否か、又は離れていくのか否かを浴室内にいる入浴者と浴室リモコン３（表示部１８）との間の距離Ｌを測定することで判断し、それにより浴室リモコン３の表示部１８に表示される情報の文字サイズを変更するようにしてもよいものである。
【００３６】
又、本実施例では浴室リモコン３に記憶装置１６と人体検出部１７とを設けたがこれに限定されず、メインリモコン２に設けて、メインリモコン２と使用者との距離によりメインリモコン２の表示部９に表示される情報の文字サイズを変更するようにしてもよいものである。
【００３７】
又、本実施例では表示部１８に表示される情報の文字サイズを標準サイズと中サイズと大サイズとしたがこれに限定されず、浴室リモコン３（表示部１８）との間の距離Ｌにより情報の文字サイズを多く設けてもよいものである。
【００３８】
以上のように本実施例では、入浴者が浴室リモコン３に近づくにつれて浴室リモコン３の表示部１８に表示される情報の文字サイズを大きくするので、近視で少し目が悪くて表示部１８に表示される情報が見えずに少し浴室リモコン３に近づいた時は、標準サイズよりも大きい中サイズの文字で表示して見やすくすることができ、又、近視でかなり目が悪くて表示部１８に表示される情報が見えずに浴室リモコン３のすぐ近くまで近づいた時は、中サイズよりも更に大きい大サイズの文字で表示して見やすくすることができるので、目の悪い人が眼鏡やコンタクトレンズを外して入浴しても浴室リモコン３の表示部１８の情報が見えるものである。
【００３９】
又、入浴者が浴室リモコン３のスイッチ部２１を操作するために浴室リモコン３に近づいた時は、スイッチ部２１の操作が終了したら浴室リモコン３の表示部１８に表示される情報の文字サイズを標準サイズに戻すので、スイッチ部２１の操作を終了した時点で通常の表示部１８に表示される情報を見られるので、見たい情報が表示されずにすぐ見られないということを防止できるものである。
【符号の説明】
【００４０】
１６  記憶手段
１７  人体検出手段
１８  表示部
２２  制御部
【図１】
2014137143.tif 000003
【図２】
2014137143.tif 000004
【図３】
2014137143.tif 000005